(57)【要約】【課題】人体に影響を及ぼす物質を含む空気を清浄化するために、衣服のように着用可能な空気清浄装置を得る。【解決手段】  人体の少なくとも口および鼻の周囲に内部空間を形成するマスク３と、このマスクの内部空間に清浄化した空気を供給する外部形状が少なくとも人体の上半身に着用可能な形状の空気清浄部６と、この空気清浄部６に形成され外気を取り入れる空気入口５と、前記空気清浄部６に設けられ前記取り入れた空気中の物質を吸着し、空気を清浄化する繊維または物質吸着材からなる吸着体と、前記空気清浄部２に形成され前記マスク３へ空気を送り出す空気出口７と、前記空気入口５から前記空気出口７までの空気を前記吸着体に誘導する空気流路壁とを備えた。【選択図】図２
2007160027.tif 000002
【特許請求の範囲】
【請求項１】
人体の少なくとも口および鼻の周囲に内部空間を形成するマスクと、
このマスクの内部空間に清浄化した空気を供給する外部形状が少なくとも人体の上半身に着用可能な形状の空気清浄部と、
この空気清浄部に形成され外気を取り入れる空気入口と、
前記空気清浄部に設けられ前記取り入れた空気中の物質を吸着し、空気を清浄化する繊維または物質吸着材からなる吸着体と、
前記空気清浄部に形成され前記マスクへ空気を送り出す空気出口と、
前記空気入口から前記空気出口までの空気を前記吸着体に誘導する空気流路壁とを備えたことを特徴とする空気清浄装置。
【請求項２】
複数個の空気清浄部を設け，これらを直列接続または並列接続したことを特徴とする請求項１記載の空気清浄装置。
【請求項３】
人体の少なくとも口および鼻の周囲に内部空間を形成するマスクと、
このマスクの内部空間に清浄化した空気を供給する外部形状が少なくとも人体の上半身に着用可能な形状の空気清浄部と、
この空気清浄部に形成され外気を取り入れる空気入口と、
前記空気清浄部に設けられ前記取り入れた空気中の物質を吸着し、空気を清浄化する繊維または物質吸着材からなる吸着体と、
前記空気清浄部に形成され前記マスクへ空気を送り出す空気出口と、
前記空気入口と前記空気出口間に存在する空気の吸引抵抗を小さくする送風手段とを備えたことを特徴とする空気清浄装置。
【請求項４】
人体の少なくとも口および鼻の周囲に内部空間を形成するマスクと、
このマスクの内部空間に清浄化した空気を供給する外部形状が少なくとも人体の上半身に着用可能な形状の空気清浄部と、
この空気清浄部に形成され外気を取り入れる空気入口と、
前記空気清浄部に設けられ前記取り入れた空気中の物質を吸着し、空気を清浄化する繊維または物質吸着材からなる吸着体と、
前記空気清浄部に形成され前記マスクへ空気を送り出す空気出口とを備え、
前記空気入口は前記吸着体が空気の清浄化に寄与する幅と同等の空気入口幅を有することを特徴とする空気清浄装置。
【請求項５】
人体の少なくとも口および鼻の周囲に内部空間を形成するマスクと、
このマスクの内部空間に清浄化した空気を供給する外部形状が少なくとも人体の上半身に着用可能な形状の空気清浄部と、
この空気清浄部に形成され外気を取り入れる空気入口と、
前記空気清浄部に設けられ前記取り入れた空気中の物質を吸着し、空気を清浄化する繊維または物質吸着材からなる吸着体と、
前記空気清浄部に形成され前記マスクへ空気を送り出す空気出口と、
前記吸着体に液体を供給する液体タンクとを備え、
前記液体タンクの液体を、前記空気入口と前記空気出口間に形成された清浄空間内に流出または噴出させ前記清浄空間内の夾雑物を前記液体に捕捉させ空気を洗浄化することを特徴とする空気清浄装置。
【請求項６】
マスクには、吸着体から供給される空気を前記マスクの内部空間に流入すると共に前記空気の逆流を防ぐ第１逆止弁と、前記マスクの内部空間の空気を外部に排出すると共に前記外部からの外気の逆流を防ぐ第２逆止弁とが設けられていることを特徴とする請求項１乃至請求項５の何れかに記載の空気清浄装置。
【請求項７】
マスクには音声を検出するマイクが設けられていることを特徴とする請求項６記載の空気清浄装置。
【発明の詳細な説明】
【技術分野】
【０００１】  本発明は、携帯可能な空気清浄装置に関する。
【背景技術】
【０００２】  従来、自然な空気を簡易に清浄化するものとして、口や鼻の前に設置するマスクがある。周知のようにマスクによる空気の清浄化効果が十分とは言えないまでも清浄化手段として簡便に用いられている。
しかしながら、近年、地球上の至るところでその自然な空気は、人間の生産活動の結果として二酸化炭素を始めとして様々な化学物質を含むことになり、人体に悪影響を及ぼしている。【０００３】  また、自然界においては、噴火などの自然現象により亜硫酸ガスなどの人体に悪影響を及ぼす物質が生ずることもある。【０００４】  さらに、春には杉の花粉など動植物が排出、産出する物質が空気中に浮遊し、花粉症などを発病して人体に悪影響を及ぼすことが日常的になっている。【０００５】  さらにまた、ウィルスなど微細な物質が空気中に飛散しており、多くの人が空気中の微細な浮遊物質により苦しんでいるのが現状である。【０００６】  従来のマスクにおいては、外気を人体に無害なまでに清浄化することが難しいという問題もあり、さらにマスクと顔の設置面の隙間から、未清浄な空気が人体に取り込まれてしまうという問題も発生する。【０００７】  また、マスク以外にも種々の空気清浄装置が、ウイルスや花粉や化学物質など人体に影響を及ぼす物質を含む空気を清浄化するために用いられている。【０００８】  例えば、特許文献１に記載の空気清浄装置は、据え置き型のものではあるが、空気の入口と出口とを持つハウジングと、フイルタ要素を通して入口から出口に至る方向へ空気流を起こす空気移送手段とからなる空気清浄装置であって、フイルタ要素が繊維質材料によって成形されるものが提案されている。
このような空気清浄装置は、特定の場所に設置して用いられており、使用者が外気の中で自由に移動しながら清浄化された空気を吸うことができず携帯用には向かないものである。【０００９】
【特許文献１】  特表平１１−５０９７８０
【発明の開示】
【発明が解決しようとする課題】
【００１０】  本発明は上記のような課題を解決するためになされたものであり、使用者が身体に着用したまま長時間の作業や劣悪な空気環境でも移動しながら活動できる空気清浄装置を提供するものである。すなわち所望する場所で任意に空気の清浄化を図ることができる携帯性の優れた空気清浄装置を提供することを目的とする。
【課題を解決するための手段】
【００１１】  請求項１に係る空気清浄装置は、人体の少なくとも口及び鼻の周囲に内部空間を形成するマスクと、このマスクの内部空間に清浄化した空気を供給する外部形状が少なくとも人体の上半身に着用可能な形状の空気清浄部と、この空気清浄部に形成され外気を取り入れる空気入口と、前記空気清浄部に設けられ前記取り入れた空気中の物質を吸着し、空気を清浄化する繊維又は物質吸着材からなる吸着体と、前記空気清浄部に形成され前記マスクへ空気を送り出す空気出口と、前記空気入口から前記空気出口までの空気を前記吸着体に誘導する空気流路壁とを備えたことを特徴とする。【００１２】  また、請求項２に係る空気清浄装置は、複数個の空気清浄部を設け，これらを直列接続又は並列接続したことを特徴とする。【００１３】  さらに請求項３に係る空気清浄装置は、人体の少なくとも口および鼻の周囲に内部空間を形成するマスクと、このマスクの内部空間に清浄化した空気を供給する外部形状が少なくとも人体の上半身に着用可能な形状の空気清浄部と、この空気清浄部に形成され外気を取り入れる空気入口と、前記空気清浄部に設けられ前記取り入れた空気中の物質を吸着し、空気を清浄化する繊維または物質吸着材からなる吸着体と、前記空気清浄部に形成され前記マスクへ空気を送り出す空気出口と、前記空気入口と前記空気出口間に存在する空気の吸引抵抗を小さくする送風手段とを備えたことを特徴とする。【００１４】    さらにまた請求項４に係る空気清浄装置は、人体の少なくとも口および鼻の周囲に内部空間を形成するマスクと、このマスクの内部空間に清浄化した空気を供給する外部形状が少なくとも人体の上半身に着用可能な形状の空気清浄部と、この空気清浄部に形成され外気を取り入れる空気入口と、前記空気清浄部に設けられ前記取り入れた空気中の物質を吸着し、空気を清浄化する繊維または物質吸着材からなる吸着体と、前記空気清浄部に形成され前記マスクへ空気を送り出す空気出口とを備え、前記空気入口は前記吸着体が空気の清浄化に寄与する幅と同等の空気入口幅を有することを特徴とする。【００１５】  また、請求項５に係る空気清浄装置は、人体の少なくとも口および鼻の周囲に内部空間を形成するマスクと、このマスクの内部空間に清浄化した空気を供給する外部形状が少なくとも人体の上半身に着用可能な形状の空気清浄部と、この空気清浄部に形成され外気を取り入れる空気入口と、前記空気清浄部に設けられ前記取り入れた空気中の物質を吸着し、空気を清浄化する繊維または物質吸着材からなる吸着体と、前記空気清浄部に形成され前記マスクへ空気を送り出す空気出口と、前記吸着体に液体を供給する液体タンクとを備え、前記液体タンクの液体を、前記空気入口と前記空気出口間に形成された清浄空間内に流出または噴出させ前記清浄空間内の夾雑物を前記液体に捕捉させ空気を洗浄化することを特徴とする。【００１６】  さらに、請求項６に係る空気清浄装置は、マスクには、吸着体から供給される空気を前記マスクの内部空間に流入すると共に前記空気の逆流を防ぐ第１逆止弁と、前記マスクの内部空間の空気を外部に排出すると共に前記外部からの外気の逆流を防ぐ第２逆止弁とが設けられていることを特徴とする。【００１７】  ��らにまた、請求項７に係る空気清浄装置は、マスクには音声を検出するマイクが設けられていることを特徴とする。
【発明の効果】
【００１８】  以上のような本発明によれば、人体に着用することにより常時携帯することができ、しかも人体にとって有害な物質を除去し清浄化された空気を吸うことができる。
【発明を実施するための最良の形態】
【００１９】    以下、本発明の実施の形態について図面に基づき詳細に説明する。
実施の形態１．
図１は実施の形態１の概要を示す側面図である。
図１において、１は人体、２は人体１に着用された空気清浄装置、３は人体１の少なくとも口及び鼻の周囲に内部空間を形成するマスク、４は空気清浄装置２とマスク３間を接続する中空のチューブである。なお、このチューブ４はマスク３と一体化すれば不用である。【００２０】  空気清浄装置２は、外部形状を衣類のように人体１の上半身に着用可能にする。そのため空気清浄装置を身に着けた状態で動くことができるので移動性も良く携帯性も向上する。詳細を以下に説明する。【００２１】  図２は、図１の空気清浄装置の要部断面図である。
図２において、５は空気清浄部に形成された外気を取り入れる空気入口、６は空気中の有害な化学物質等を吸着する吸着体を含む空気清浄部、７は空気清浄部６で清浄化された空気をマスク３の内部空間へ送り出すための空気出口である。空気出口７とマスク３間はチューブ４で接続されている。【００２２】  空気清浄部６は、人体１の前後に着用した例を示しているが、適宜内部で空気入口と空気出口を接続すれば良い。また通常空気出口７はマスク３との関係で上方に配置した方が良く、さらに複数個の空気入口を設けても良い。【００２３】  図３は、図２の空気清浄部６の実施例を示す内部構造図である。
図３において、８は空気清浄部６の空気入口５に設けられ強制的に空気を取り入れ空気の吸引抵抗を小さくする送風手段、９は空気清浄部６内に形成された空気流路、１０は空気流路９をより長くするために設けられ空気入口５から空気出口７までの空気を吸着体に誘導する空気流路壁、１１は空気流路９内に充填され、空気入口５から取り入れられた空気中の物質を吸着し空気を清浄化する吸着体である。【００２４】  吸着体１１は、空気流路９の全域に充填され広い領域で吸着機能を果たす。また、空気流路壁１０は、より長い吸着経路を形成するため複数個所に配置して、図中矢印のように空気が長く流れるように設定する。【００２５】  吸着体１１は、綿や絹、その他物質吸着力の高い繊維状の物質、あるいは活性炭素のような物質吸着の強い材料で吸着物質担体を構成する。【００２６】  吸着体１１の材質に応じて、吸着体１１における空気流路９の長さと幅を調整し、十分な吸着効果を確保するように空気流路壁１０を設ける。空気流路壁１０は吸着体１１を縫製により区画して形成するか、又は他の区画部材を用いて形成し、空気流路９の長さと幅を調整しても良い。
また、空気流路９が長過ぎると、人が息を吸ったときの吸引抵抗が大きくなるので、補助として送風手段８を用いて外気を空気入口５から取り入れてもよい。
さらに、送風手段８は手動式又は乾電池やソーラー電池による電動式でも良く、またその位置は空気入口５と空気出口７間に存在する空気が移動しやすいところに設ければよい。
空気出口７近辺に送風手段８を設置した方が実際の吸引状況に合わせられるので好ましい。【００２７】  この実施の形態１によれば、外気に含まれる浮遊物、花粉、ウィルス、亜硫酸ガス及び放射性微粒子などの有害な物質を吸着体により吸着させ、清浄化された空気を吸うことができる。特に空気清浄装置として、上半身用着衣の形状に吸着物質担体を用いた場合には、通常のマスクに比してはるかに膨大な吸着体を配置することできるので、結果として非常に清浄効果の大きなものが得られる。【００２８】  すなわち、本発明は、多くの有害な物質を吸着して空気を清浄化するため吸着容量の大きな空気清浄部を形成することができ、長期間使用可能な空気洗浄装置を得ることができる。【００２９】  実施の形態２．
図４は実施の形態２を示す空気清浄部の内部構造図である。
図４において、２０は左右２個に分割された空気清浄部であり、第１吸着体２１と第２吸着体２２からなる。空気入口２３及び空気入口２４が吸着体２１及び吸着体２２に対応して設けられ、空気出口２５及び空気出口２６が吸着体２１及び吸着体２２に対応して設けられている。【００３０】  この実施の形態２の空気清浄装置は、複数個の空気清浄部２０を配置したので、これらの空気清浄部２０の空気入口と空気出口を直列接続又は並列接続することにより、吸着量を拡大させ、より高い吸着効果を得ることができる。
すなわち、人体の複数箇所に複数個の吸着体を個別に着用することができる構成であり、吸着体を容易に交換することができ、清浄化された空気を継続的に吸うことができるので長時間の作業に適応できる。【００３１】  実施の形態３．
図５は実施の形態３を示す空気清浄部の内部構造図である。
図５において、３０は吸着体が直列接続された空気清浄部であり、上部から第１吸着体３１、第２吸着体３２、第３吸着体３３、及び第４吸着体３４とからなる。３５は各吸着体内に形成し空気流路を長くするための空気流路壁、３６は空気入口、３７は空気出口である。【００３２】  各吸着体は個別に構成され、それぞれ接続と分割が可能である。接続方法として、たとえば第１吸着体３１の空気入口は第２吸着体３２の空気出口に接続され、第２吸着体３２の空気入口は第３吸着体３３の空気出口に接続され、第３吸着体３３の空気入口は第４吸着体３４の空気出口に接続されており、第４吸着体３４の空気入口３６から図中矢印のように外気が吸入される。【００３３】  この実施の形態３の空気清浄装置によれば、複数個の空気清浄部を直列接続しているので、増設や交換により吸着体の吸着量を拡大させ、より高い吸着効果を発現することができる。
なお、空気流路壁３５を吸着体の内部に形成すれば吸着体内にさらに長い空気流路を形成することができ、より高い吸着効果を得ることができ、長時間の作業にも適応でき、空気の清浄化を図ることができる。
また、利用の仕方により、空気流路壁３５の形成されていない吸着体でも増設や交換により長時間使用できる空気清浄装置を得ることができる。【００３４】  実施の形態４．
図６は簡便な構成の実施の形態４を示す内部構造図である。
図６において、４０は空気清浄部、４１は吸着体、４２は吸着体４１の空気の清浄化に寄与する幅と同等の空気入口幅を有する空気入口、４３は空気出口である。【００３５】  吸着体４１に外気を取り入れる場合、空気入口４２は、吸着体４１が空気の清浄化に寄与する幅と同等の空気入口幅を有することにより、空気入口４２の間口を広くし空気の流入抵抗を小さくすることができるので、その結果、吸引補助のための送風手段が不用となり、空気流路壁も省略した簡便な構成の空気清浄部を得ることができる。【００３６】  実施の形態５．
図７は湿式に係る空気洗浄部の実施の形態５を示す内部構造図である。
図７において、５０は洗浄物質として水や油性物質などの液体が入っている液体タンク、５１は数個所に穴が空いているパイプ、５２は排水の排水溝、５３は吸着体、５４は送風手段、５５は空気入口、５６は空気出口であり、この空気入口５５と空気出口５６間が液体による洗浄空間となる。【００３７】  液体タンク５０内の液体は、図中矢印のように洗浄空間内に流出又は噴出などして、吸着体５３の上部からパイプ５１を経て吸着体５３に吸着された気体や微粒子など夾雑物を捕捉する。
さらに吸着体５３の下部に夾雑物を含む液体が落下し、排水溝５２を経て外部に排出される。したがって、液体タンク５０からの液体により吸着体５３から夾雑物が除去されると共に，吸着体５３が洗浄されることになり継続して洗浄能力を維持することになる。すなわち洗浄物質である液体は夾雑物の捕捉および除去するという作用もする。
なお、排水溝に出てきた液体は排水溝５２の下に貯水部を設け、そこにその液体を集めれば周辺を汚すことはなくなる。【００３８】  この実施の形態５によれば、吸着体５３は、液体タンク５０から落下する液体により常に洗浄された状態となり、液体タンク５０から供給される液体をとぎらせない限り、一定の洗浄能力を保つことができる。なお、液体タンク５０は吸着体５３に洗浄物質である液体を供給することができれば上述の作用を可能とするので、液体タンク５０の設置位置は吸着体の上部のみに限定されるものではない。
また、液体により適度に湿った吸着体４４を空気が通過することにより、花粉やウィルスや亜硫酸ガスをより効果的に吸着させることができ、この湿式の空気清浄装置は有害な物質の吸着量を増加させることができる。【００３９】  実施の形態６．
図８はマスクの部分に係る実施の形態６を示す内部構造図である。
図８において、６０はマスク、６１は吸着体からの空気が流入するチューブ、６２はチューブ６１に設けられ、吸着体から供給される空気をマスク６０の内部空間に流入すると共に空気の逆流を防ぐ第１逆止弁、６３はマスク６０の上部に設けられ、マスク６０の内部空間の空気を外部に排出すると共に外部からの空気の逆流を防ぐ第２逆止弁、６４は眼鏡、６５は眼鏡６４を使用している場合眼鏡６４の曇りを取り除くための乾燥した空気の取り入れ口、６６は音声を検出するマイク、６７はスピーカを含む制御装置である。【００４０】  第１逆止弁６２は吸着体から供給された清浄な空気を吸着体へ逆流させないため設ける。
第２逆止弁６３は、吸着体で清浄化された空気を人が吸って排出した時、マスク６０の内部空間内の空気を外部に排出しやすくする。【００４１】  特に、外気の侵入を避けるにはマスク６０と顔面とをできるだけ密着させることが重要である。口や鼻の周囲を覆い内部空間を形成するマスク６０については、吸着体から清浄な空気が流入するのでその空気を口又は鼻から吸えば良い。しかし、密閉度が高い内部空間に排気された空気は逆止弁６３から外部に排出するようにすることが好ましい。
また、密閉度が高いと眼鏡６４に曇りが発生するので乾燥した空気を眼鏡６４付近の取り入れ口６５から取り入れるとその曇りを取り除くことができる。
さらに図８に示すマスク６０は目のところまでも覆う形状であるが、目を覆う部分は透明にする必要があるため図中破線６８ようなところで分離した形状でも良い。【００４２】  さらにまた、マスク６０の密着度が高くなると、話し声が外部に聞こえ難くなるので、たとえばマイク６６からの音声信号を制御装置６７により拡大して周囲に聞こえるようにしても良い。
【産業上の利用可能性】
【００４３】  本発明の空気清浄装置は携帯可能な構成であるため、たとえばハンドバッグのような通常携帯するものを製造する分野においても本発明に係る空気清浄装置を取り付ければ、手軽に持ち運び可能で、使い勝手の良いものが得られる。【００４４】  また、空気清浄部を寝具表面に設置すれば、空気清浄装置により清浄化された空気を睡眠中でも人体に供給させることができ，寝具製造分野でも利用することができる。
【図面の簡単な説明】
【００４５】
【図１】本発明に係る空気清浄装置の概念の側面図である。
【図２】空気清浄装置の実施の形態１を示す要部断面図である。
【図３】空気清浄装置の実施の形態１を示す内部構造図である。
【図４】空気清浄装置の実施の形態２を示す内部構造図である。
【図５】空気清浄装置の実施の形態３を示す内部構造図である。
【図６】空気清浄装置の実施の形態４を示す内部構造図である。
【図７】空気清浄装置の実施の形態５を示す内部構造図である。
【図８】空気清浄装置のマスクに係る実施の形態６を示す内部構造図である。
【符号の説明】
【００４６】    １  人体
２  空気清浄装置
３  マスク
４  チューブ
５  空気入口
６  空気清浄部
７  空気出口
８  送風手段
９  空気流路
１０  空気流路壁
１１  吸着体
２０  空気清浄部
３０  空気清浄部
４０  空気清浄部
５０  液体タンク
５１  パイプ
５２  排水溝
６０  マスク
６６  マイク
【図１】
2007160027.tif 000003
【図２】
2007160027.tif 000004
【図３】
2007160027.tif 000005
【図４】
2007160027.tif 000006
【図６】
2007160027.tif 000007
【図５】
2007160027.tif 000008
【図７】
2007160027.tif 000009
【図８】
2007160027.tif 000010